(57)【要約】【課題】簡単な構成で、測定テープと巻取りばねとの連結部分までの繰出しもスムースに行うことができる新規な巻尺を提供することを目的とする。【解決手段】巻取りばね４の外端部４Ａは、連結係合片４０を備える。測定テープ２の内端部２Ａは、連結係合孔２１と、測定テープ２の長手方向に沿い該連結係合孔２１と一連の連結係合片挿入案内用スロット部２２とを備える。上記連結係合孔２１の測定テープ長手方向先側辺縁部２１ｂは、連結係合片４０を連結係合孔２１に挿入して測定テープ２と巻取りばね４を長手方向に沿った状態で重ね合わせた時に幅広舌片部４２の先端縁部４２ａと小幅で重なり合うようになされ、この先端縁部４２ａを押圧すると、上記辺縁部２１ｂとの重なりが反転するも、幅広舌片部４２の幅方向端部４２は連結係合孔２１の側辺縁部２１ａと反転せず該側辺縁部２１ａに担持されるよう構成されていることを特徴とする。【選択図】図２
2007278992.tif 000002
【特許請求の範囲】
【請求項１】
本体ケースと、該本体ケース内に巻取及び繰出自在に収納された測定テープと、該測定テープの内端部に連結され該測定テープを巻取り付勢する巻取りばねとを備えた巻尺であって、
上記巻取りばねは、本体ケース内に巻回収納されたテープ状のばね材からなり、該巻取りばねの外端部には、ネック部と、これに連なり先端縁部が凸曲状の幅広舌片部とよりなる連結係合片が形成され、測定テープの内端部には、上記幅広舌片部より幅狭の連結係合孔と、測定テープの長手方向に沿い該連結係合孔と一連の連結係合片挿入案内用スロット部とが形成され、上記連結係合孔の測定テープ長手方向先側辺縁部は、上記連結係合片を連結係合孔に挿入して測定テープと巻取りばねを長手方向に沿った状態で重ね合わせた時に幅広舌片部の先端縁部と小幅で重なり合うようになされ、幅広舌片部の先端縁部を押圧すると、この先端縁部と上記辺縁部との重なりが反転するも、幅広舌片部の幅方向端部は連結係合孔の側辺縁部と反転せず該側辺縁部に担持されるよう構成されていることを特徴とする巻尺。
【請求項２】
請求項１に記載の巻尺において、
前記測定テープが鋼板製コンベックステープからなることを特徴とする巻尺。
【請求項３】
請求項２に記載の巻尺において、
前記連結係合片の連結係合孔に対する挿入は、測定テープの凸曲部側からなされることを特徴とする巻尺。
【発明の詳細な説明】
【技術分野】
【０００１】
本発明は、本体ケース内に測定テープを巻取り或いは繰出し可能に収納し且つ測定テープを巻取り付勢する巻取りばねを備えた巻尺に関する。
【背景技術】
【０００２】
従来、鋼板、織布、プラスチック材等からなる長尺の測定テープを本体ケース内に巻取り収納し、使用時にはその繰出し口から所望長さに繰出せるようにした巻尺が、建築現場等の産業分野や一般家庭等において広く用いられている。上記巻取りは、手巻き式の他に、ゼンマイバネの戻り力を利用した自動巻取り方式が多く採用されている。また、鋼板製の測定テープとしては、幅方向に湾曲し（コンベックス）、繰出された時にはその湾曲形状への形状記憶性により直線状を維持し得るようにしたものが採用されている。上記のような自動巻取り方式の巻尺の場合、測定テープとゼンマイバネとの連結部分は、孔と舌片との掛止によって測定テープの交換を可能とするようなにされているのが一般的である。このような孔及び舌片の形状は、結合・取外の容易性や結合安定性を勘案して種々考案されており、特許文献１及び特許文献２はその例を示すものである。
【特許文献１】実公昭５３−１６３６９号公報
【特許文献２】特公平５−６４１号公報
【発明の開示】
【発明が解決しようとする課題】
【０００３】
上記特許文献１に開示された巻尺の連結装置においては、鋼製巻尺（測定テープ）の内端部（基端連結部）に、その長手方向に沿って２個の穿孔が設けられ、一方、つる巻ばねの外端部（先端連結部）に、上記穿孔の一方に挿通し得る中間幅帯部、この穿孔の側縁部に担持される広幅掛合突片、小幅帯部、更には他方の穿孔に挿通し得る中間幅の掛合頭片が形成され、つる巻ばねの外端部を、巻尺の上記穿孔にその表裏より適宜潜らせるようにし、各穿孔の幅及び形状とつる巻ばねの外端部の上記各部分の幅及び形状による互いの掛合関係をして巻尺の内端部とつる巻ばねの外端部とが連結される。しかし、この連結装置の場合、巻尺の内端部に２個の穿孔を設ける必要があり、また、つる巻ばねの外端部には、その長手方向に複数の幅の異なる部分を設ける必要があり、その為、巻尺及びつる巻ばねの連結代部分を長手方向に長くせざるを得ず、設計上の自由度を低下させる要因にもなっていた。
【０００４】
また、特許文献２に開示された連結構造においては、測定テープの内端部に、方形の開口部と、この開口部の４隅に突出するタブ（フィンガー部）とが形成され、一方ばね（ゼンマイバネ）の外端部には、幅狭部分と、これに続く方形の拡大部分と、更に先側に続く幅狭部分とが形成され、拡大部分を開口部に重ね、拡大部分の４隅のショルダー部分を開口部のタブの下側に着座・反転させることによって測定テープの内端部とばねの外端部とが連結される。この連結構造は、測定テープの内端部及びばねの外端部共、その連結構造がシンプルであり、また、結合・取外が容易で、結合安定性にも優れている。しかし、ばねの外端部の先側幅狭部分は結合の安定性からある程度の長さを必要とし、その為、この先側の舌片状幅狭部分が測定テープの表面に反りかえるように半起立状態で突出することになり、巻尺を交換等の為に巻回収納された本体エースから連結部分まで繰出す際、本体ケースの繰出口や繰出口部付近に設けられた測定テープのロック装置にこの突出部分が突っ掛かり、その繰出しがスムースに行えない場合がある。
【０００５】
本発明は、上記実情に鑑みなされたものであり、簡単な構成で、測定テープと巻取りばねとの連結部分までの繰出しもスムースに行うことができる新規な巻尺を提供することを目的としている。
【課題を解決するための手段】
【０００６】
請求項１の発明に係る巻尺は、本体ケースと、該本体ケース内に巻取及び繰出自在に収納された測定テープと、該測定テープの内端部に連結され該測定テープを巻取り付勢する巻取りばねとを備えた巻尺であって、上記巻取りばねは、本体ケース内に巻回収納されたテープ状のばね材からなり、該巻取りばねの外端部には、ネック部と、これに連なり先端縁部が凸曲状の幅広舌片部とよりなる連結係合片が形成され、測定テープの内端部には、上記幅広舌片部より幅狭の連結係合孔と、測定テープの長手方向に沿い該連結係合孔と一連の連結係合片挿入案内用スロット部とが形成され、上記連結係合孔の測定テープ長手方向先側辺縁部は、上記連結係合片を連結係合孔に挿入して測定テープと巻取りばねを長手方向に沿った状態で重ね合わせた時に幅広舌片部の先端縁部と小幅で重なり合うようになされ、幅広舌片部の先端縁部を押圧すると、この先端縁部と上記辺縁部との重なりが反転するも、幅広舌片部の幅方向端部は連結係合孔の側辺縁部と反転せず該側辺縁部に担持されるよう構成されていることを特徴とする。
【０００７】
本発明においては、請求項２の発明のように、前記測定テープが鋼板製コンベックステープからなるものとすることが望ましく、この場合、請求項３の発明のように、前記連結係合片の連結係合孔に対する挿入は、測定テープの凸曲部側からなされることが望ましい。
【発明の効果】
【０００８】
本発明の巻尺においては、測定テープの内端部に形成された連結係合孔の測定テープ長手方向先側辺縁部は、上記巻取りばねの外端部に形成された連結係合片を連結係合孔に挿入して測定テープと巻取りばねを長手方向に沿った状態で重ね合わせた時に幅広舌片部の先端縁部と小幅で重なり合うようになされ、幅広舌片部の先端縁部を押圧すると、この先端縁部と上記辺縁部との重なりが反転するも、幅広舌片部の幅方向端部は連結係合孔の側辺縁部と反転せず該側辺縁部に担持されるよう構成されているから、巻取りばねの外端部が測定テープの内端部に表裏に絡み合うよう係合し、測定テープの内端部と巻取りばねの外端部との連結・結合が簡易になされる。また、幅広舌片部の先端縁部は押圧するだけで、連結係合孔の辺縁部との重なりが反転するから、先端縁部の測定テープ表面からの突出量が少なく、前記従来装置のように測定テープの繰出し時の突っ掛かり等が生じる懸念がない。更に、連結係合孔と連結係合片挿入案内用スロット部とが一連に形成されているから、連結用の孔が１個で済み加工が簡易である。
【０００９】
また、測定テープを、鋼板製コンベックステープからなるものとすれば、その湾曲形状の形状保持性と幅広舌片部の先端縁を押圧して反転させた場合の先端部の復元力とが合体してその結合がより安定的になされる。この場合、前記連結係合片の連結係合孔に対する挿入を、測定テープの凸曲部側から行うようにすれば上記結合がより安定化する。
【発明を実施するための最良の形態】
【００１０】
以下に本発明の最良の実施の形態について、図面に基づいて説明する。図１は本発明の巻尺の一実施形態を示す部分切欠正面図、図２は同巻尺における測定テープと巻取りばねとの連結部分の分解平面図、図３〜図５は同連結部分の連結要領を示す平面図、図６は図５におけるＸ−Ｘ線拡大断面図である。
【実施例１】
【００１１】
図１に示す巻尺Ａは、硬質合成樹脂等により成型された２つ割りの本体ケース１内に、目盛が付された長尺の測定テープ２を巻取軸３周りに巻取り及び繰出し自在に収納してなる。測定テープ２は、幅方向に湾曲した鋼板製のコンベックステープからなり、後記するようにその基部側である内端部２Ａには、巻取軸３に基端部が固設された巻取ばね４の先端側である外端部４Ａが連結されている。図１は、この測定テープ２が全て繰出された状態を示し、常時は測定テープ２は巻取軸３の周りに弾性的に巻取付勢され、図１の２点鎖線のように巻取ドラム（テープ巻取リール）５の周囲に巻装されている。測定テープ２は、コンベックステープの湾曲形状への形状記憶特性により、繰出された時には直線状を維持し得ることは、従来公知のものと同様である。また、コンベックステープ以外のプラスチック材等からなる長尺のテープも採用することができる。
【００１２】
測定テープ２の先端部には測定基準金具を兼ねるフック部材２ａが取付けられ、測定テープ２の本体ケース１内での収納状態では、本体ケース１の繰出口１ａにこのフック部材２ａが露出係止される。測定テープ２を繰出口１ａから繰出す際は、測定テープ２は上記ゼンマイバネ４の付勢弾力に抗して引出されるが、そのまま手放すとこの付勢弾力によって巻き戻されてしまうので、図例の巻尺では所望の繰出し位置に測定テープ２を静止させる為のロック装置６が組み込まれている。ロック装置６のロック解除はロック解除ボタン６ａの操作によってなされるが、このロック装置６及びロック解除ボタン６ａとしては、従来公知のロック・アンロク機構が採用され、ここではその詳細構造についての説明は割愛する。
【００１３】
巻取りばね４の外端部４Ａには、幅狭のネック部４１と、これに連なり先端縁部４２ａが凸曲状に形成された幅広舌片部４２とよりなる連結係合片４０が形成されている。４３は巻取りばね４の巻き戻りを阻止すべく適宜ピン状物を挿入して本体ケース１の繰出口１ａに係止させる為の小孔である。一方、測定テープ２の内端部２Ａには、上記幅広舌片部４２より幅狭の連結係合孔２１と、測定テープ２の長手方向に沿い該連結係合孔２１と一連の連結係合片挿入案内用スロット部２２とが形成されている。連結係合孔２１の両側辺縁部２１ａ，２１ａは、図例では波形に形成されているが、直線状或いは緩やかな円弧状であってもよく、上記両側辺縁部２１ａ，２１ａ間の幅ｄが幅広舌片部４２の幅Ｄより小とされておれば、その形状は限定されるものではない。また、スロット部２２の幅ｄ１は、連結係合片４０を挿入し得るよう巻取りばね４の厚みよりやや大とされている。このスロット部２２は、図例では連結係合孔２１に対し、測定テープ２の先端側に向け一連に形成されているが、基端部側に向け形成されていても良い。
【００１４】
次に、測定テープ２の内端部２Ａと、巻取りばね４の外端部４Ａとの連結構造について説明する。図３に示すように、巻取りばね４の外端部４Ａを、測定テープ２の凸曲部側から測定テープ２の長手方向に直交するように一連の連結係合孔２１及びスロット部２２に挿入し、測定テープ２の凹曲部側にネック部４１及び幅広舌片部４２を突出させる。この状態で、幅広舌片部４２を矢示Ｙ方向に回転させ、図４のように測定テープ２の内端部２Ａと巻取りばね４の外端部４Ａとを長手方向に沿った状態で連結係合孔２１を介して交差するよう重ね合わせる。この重ね合わせ状態では、幅広舌片部４２の両側辺部（幅方向端部）４２ｂ，４２ｂが連結係合孔２１の両側辺縁部２１ａ，２１ａ上に重なり、また、先端縁部４２ａは連結係合孔２１の測定テープ長手方向先側辺縁部２１ｂ（図例では、スロット部２２の連成コーナー基部）上に小幅で重なっている。
【００１５】
そして、幅広舌片部４２の先端縁部４２ａを、測定テープ２の凸曲部側に押圧すると、図５に示すように、この先端縁部４２ａと上記辺縁部２１ｂとが互いに弾性変形してその上下の重なりが反転する。この時、幅広舌片部４２の両側辺部４２ｂ，４２ｂと連結係合孔２１の両側辺縁部２１ａ，２１ａとの重なりは反転せず、両側辺部４２ｂ，４２ｂは両側辺縁部２１ａ，２１ａ上に担持されて連結係合片４０は連結係合孔２１に係合される。この係合関係と上記反転とにより、測定テープ２と巻取りばね４との安定した連結構造が構成される。この場合、幅広舌片部４２の先端縁部４２ａが測定テープ２の凸曲部側に潜り込むような状態で反転するが、この反転部分は小幅であるから、測定テープ２の凸曲部側への突出量が小さい。従って、測定テープ２を交換等の為に本体ケース１から内端部２Ａまで繰出す際にも、突出する先端縁部４２ａが本体ケース１の繰出口１ａやロック装置６等に突っ掛かるようなことがない。特に、測定テープ２が鋼板製のコンベックステープからなるものとすると、反転させたときに幅広舌片部４２の両側辺部４２ｂ，４２ｂが連結係合孔２１の両側辺縁部２１ａ，２１ａによって担持拘束されているから、先端縁部４２ａが測定テープ２の湾曲形状に沿うよう変形し、上記突出量がより小さくなると共にその復元弾力により連結安定性が一層向上する。
【００１６】
上記先端縁部４２ａを測定テープ２の凸曲部側から押圧して、先端縁部４２ａを上記とは逆に反転させて、測定テープ２の凹曲部側に先端縁部４２ａを現出させ（図４の状態）、次いで、上記とは逆の操作で連結係合片４０を連結係合孔２１から抜き出すことにより、簡易に測定テープ２の取外し・分離がなされる。このように、測定テープ２と巻取りばね４との連結及びその取外しが簡易になされるから、巻尺Ａの製造においてはその工数が増えることがなく、また測定テープ２の交換メンテナンス等も簡単に行うことができる。
【００１７】
尚、上記実施例においては、連結係合片４０を連結係合孔２１に対して、測定テープ２の凸曲部側から挿入して連結する例について述べたが凹曲部側から挿入するようにしても良い。また、連結係合孔２１の辺縁部２１ｂの形状は図例のものに限定されず、特に、スロット部２２を測定テープ２の基端部側に形成する場合は、連結係合孔２１の中心方向に突出する突形状として、この突出部分が幅広舌片部４２の先端縁部４２ａと小幅で重なり合うよう構成することが望ましい。
【図面の簡単な説明】
【００１８】
【図１】本発明の巻尺の一実施形態を示す部分切欠正面図である。
【図２】同巻尺における測定テープと巻取りばねとの連結部分の分解平面図である。
【図３】同連結部分の連結要領を示す平面図であり、連結係合片を連結係合孔に挿入する状態を示す。
【図４】同連結部分の連結要領を示す平面図であり、連結係合片を連結係合孔に挿入後測定テープの内端部と巻取りばねの外端部を重ね合わせた状態を示す。
【図５】同連結部分の連結要領を示す平面図であり、連結係合片の先端縁部を連結係合孔の先側辺縁部と反転させた状態を示す。
【図６】図５におけるＸ−Ｘ線拡大断面図である。
【符号の説明】
【００１９】
１      本体ケース１
２      測定テープ
２Ａ    内端部
２１    連結係合孔
２１ａ  側辺縁部
２１ｂ  先側辺縁部
２２    スロット部
４      巻取ばね
４Ａ    外端部
４０    連結係合片
４１    ネック部
４２    幅広舌片部
４２ａ  先端縁部
４２ｂ  側辺部（幅方向端部）
Ａ      巻尺
【図１】
2007278992.tif 000003
【図２】
2007278992.tif 000004
【図３】
2007278992.tif 000005
【図４】
2007278992.tif 000006
【図５】
2007278992.tif 000007
【図６】
2007278992.tif 000008